(57)【特許請求の範囲】
【請求項１】
枠部の表面と前記枠部の内側に表示画面とを有する第１面を含む画像表示装置に、前記枠部の表面に貼りつけられる第１シールと前記表示画面に表示される背景と前記表示画面内に表示されるアイコンの模様とを作成する装飾データ作製システムであって、
画像データに基づいて、前記枠部の大きさに合わせた印刷用データと前記表示画面の大きさに合わせた背景データと前記アイコンの大きさに合わせたアイコン用の模様データとに処理するデータ処理部と、
前記印刷用データに基づいて、前記第１シールを印刷する印刷部と、
前記背景データ及びアイコン用の模様データに管理番号を付す背景データ管理部と、
を備え、
前記枠部と前記表示画面と前記アイコンとが接する接線において前記第１シールと前記表示画面に表示された前記背景データと前記表示画面内に表示されたアイコン用の模様データとが一連につながっている装飾データ作製システム。
【請求項２】
前記画像表示装置を使用する使用者から送られた画像データを受信する受信部を備え、
前記画像データは、前記使用者が撮影した写真、描画ソフトウエアで作成したイラストを含み、さらに前記画像データは前記表示画面のピクセル数よりも大きいデータであり、通信ネットワークを介して前記画像表示装置から前記受信部へ送信される請求項１に記載の装飾データ作製システム。
【請求項３】
さらに、前記画像表示装置の種類ごとに、前記枠部の表面と前記表示画面との寸法を記憶した寸法記憶部を有し、
前記寸法記憶部に記憶された前記枠部の表面と前記表示画面との寸法に基づいて、前記データ処理部は前記印刷用データと前記背景データとに分離する請求項１又は請求項２に記載の装飾データ作製システム。
【請求項４】
さらに、前記管理番号が付された前記背景データ及びアイコン用の模様データを記憶する背景データ記憶部と、
前記画像表示装置から送られた前記管理番号に基づいて、前記背景データ及びアイコン用の模様データを前記画像表示装置に送信する送信部と、
を備える請求項１から請求項３のいずれか一項に記載の装飾データ作製システム。
【請求項５】
前記画像表示装置は、前記第１面の反対側に第２面を有し、
前記寸法記憶部は、前記画像表示装置の種類ごとに前記第２面の寸法を記憶し
前記印刷部は、前記画像データに基づいて前記第２面に貼り付けられる第２シールを印刷する請求項３に記載の装飾データ作製システム。
【請求項６】
第１面に、枠部の表面と前記枠部の内側に表示画面と前記表示画面内に表示されるアイコンの模様とを有する画像表示装置であって、
前記枠部の表面に貼りつけられる第１シールと、
前記表示画面に表示される背景と、
前記表示画面内に表示されるアイコンの模様と、を備え、
画像データに基づいて、前記第１シールが印刷されており前記表示画面には前記背景及び前記アイコンの模様が表示され、前記枠部と前記表示画面と前記アイコンとが接する接線において、前記第１シールと前記表示画面に表示された背景と前記表示画面内に表示された前記アイコンの模様とが一連につながっている画像表示装置。
【請求項７】
前記画像データは、使用者が撮影した写真、描画ソフトウエアで作成したイラストを含み、さらに前記画像データは前記表示画面のピクセル数よりも大きいデータである請求項６に記載の画像表示装置。
【請求項８】
前記画像表示装置は、前記第１面の反対側に第２面を有し、前記画像データに基づいて印刷された第２シールを備える請求項６又は請求項７に記載の画像表示装置。
【発明の詳細な説明】
【技術分野】
【０００１】
本発明は、携帯電話等の画像表示装置の装飾のために、画像表示装置の上面に貼着して使用するシールの装飾データ作製システムに関する。また装飾データ作製システムによって作製された携帯画像表示装置に関する。
【背景技術】
【０００２】
スマートフォンなどの携帯電話、タブレット型端末、ＰＤＡ（Personal Digital Assistant）、ゲーム機器、カーナビゲーション、ノートパソコン及び、フラットパネスディスプレイ（ＦＰＤ）を使ったインターネットＴＶ等の画像表示装置が広く使用されている。これらの画像表示装置は、大量生産されるために一般にシンプルなデザインである。このため、これらの画像表示装置を使用する使用者は、他人と差別化を図るために所望のデザインや所望のカラーに装飾し、オリジナルな画像表示装置として楽しむ傾向がある。これを実現するため、携帯電話などの画像表示装置の筐体にエアーブラシで塗装したり、塩化ビニル系等の樹脂フィルム製のシールに模様を印刷してこの模様が印刷された装飾シールを貼り付けたりしている。
【０００３】
例えば、特許文献１は、スマートフォン用の装飾用シールを作成する製造方法を開示する。この製造方法は、予めスマートフォンの機種に応じた正面形状に応じた切り込み線を有するシールを用意しておく。そしてシールの剥離紙の上に粘着層を有する表面紙に、所望のデザインの装飾図柄をインクジェットプリンタ等で印刷している。そして、この印刷した装飾シールの表面紙のみをスマートフォンの表面形状に合わせて貼り付けている。
【先行技術文献】
【特許文献】
【０００４】
【特許文献１】特開２０００−２３１３３３号公報
【発明の概要】
【発明が解決しようとする課題】
【０００５】
特許文献１の製造方法は、装飾用シールについてしか開示していない。近年の画像表示装置は、液晶又は有機ＥＬ等の大きな表示画面を有しており、表示画面の周囲には細い枠部しかない。このため、使用者は、画像表示装置の細い枠部のみに装飾シールを貼り付けても、シールが他人と差別化した画像表示装置を得ることができない。また、使用者は、自分で撮影した写真又はイラスト等を装飾シールとして、世界に一つしかないオリジナルな画像表示装置を持ちたいという要望が強い。
【課題を解決するための手段】
【０００６】
そこで、本発明は、画像表示装置の枠部に貼着して使用するシールの装飾データ作製システムを提供する。また装飾データ作製システムによって作製された画像表示装置を提供する。
【０００７】
第１の観点の装飾データ作製システムは、枠部の表面と枠部の内側に表示画面とを有する第１面を含む画像表示装置に、枠部の表面に貼りつけられる第１シールと表示画面に表示される背景とを作成する。この作製システムは、画像表示装置を使用する使用者から送られた画像データを受信する受信部と、受信部が受信した画像データに基づいて枠部の大きさに合わせた印刷用データと表示画面の大きさに合わせた背景データとに処理するデータ処理部と、印刷用データに基づいて第１シールを印刷する印刷部と、背景データに管理番号を付す背景データ管理部と、を備える。そして、枠部と表示画面とが接する接線において第１シールと表示画面に表示された背景データとは一連につながっている。
【０００８】
第２の観点の装飾データ作製システムにおいて、画像データは、使用者が撮影した写真、描画ソフトウエアで作成したイラストを含む。また、画像データは表示画面のピクセル数よりも大きいデータであり、通信ネットワークを介して画像表示装置から受信部へ送信される。
さらに第３の観点の装飾データ作製システムにおいて、画像表示装置の種類ごとに、枠部の表面と表示画面との寸法を記憶した寸法記憶部を有する。データ処理部は、寸法記憶部に記憶された枠部の表面と表示画面との寸法に基づいて、印刷用データと背景データとに分離する。
【０００９】
第４の観点の装飾データ作製システムにおいて、管理番号が付された背景データを記憶する背景データ記憶部と、画像表示装置から送られた管理番号に基づいて、背景データを画像表示装置に送信する送信部と、を備える。
第５の観点の装飾データ作製システムにおいて、表示画面は複数のアイコンを含む。データ処理部はアイコン用のアイコン画像データを作製し、背景データ管理部はアイコン画像データに管理番号を付す。
画像表示装置は、第１面の反対側に第２面を有し、記憶部は、画像表示装置の種類ごとに第２面の寸法を記憶し
第６の観点の装飾データ作製システムにおいて、印刷部は、画像データに基づいて第２面に貼り付けられる第２シールを印刷する。
【００１０】
第７の観点の画像表示装置は、枠部の表面と枠部の内側に表示画面とを有する第１面を含む画像表示装置である。画像表示装置は、枠部の表面に貼りつけられる第１シールと、表示画面に表示される背景と、を備える。画像表示装置は、使用する使用者が作成した画像データに基づいて第１シールが印刷されており表示画面には背景が表示され、枠部と表示画面とが接する接線において、第１シールと表示画面に表示された背景データとが一連につながっている。
【００１１】
第８の観点の画像表示装置において、画像データは、使用者が撮影した写真、描画ソフトウエアで作成したイラストを含み、さらに画像データは表示画面のピクセル数よりも大きいデータである。
第９の観点の画像表示装置において、画像表示装置は、第１面の反対側に第２面を有し、画像データに基づいて印刷された第２シールを備える。
【発明の効果】
【００１２】
本発明によれば、使用者は、表示画面の第１模様と枠部の第２模様とが一体化した、世界に一つしかないオリジナルな画像表示装置を有することができる。
【図面の簡単な説明】
【００１３】
【図１】本実施形態に係る装飾データ作製システム１００全体の概略構成を示す。
【図２】（ａ）はスマートフォン１０の第１面で、（ｂ）は右側面で、（ｃ）は第１面とは反対側の第２面で、（ｄ）は底面である。また（ｅ）は、スマートフォン１０の内部の概略構成である。
【図３】サーバ２０の概略の構成例を示す。
【図４】画像データＧ１０を示した図である。
【図５】（ａ）は表示画面１６に表示される背景データＭ１６であり、（ｂ）は装飾シール４０に印刷された印刷用データＭ１５である。（ｃ）は装飾シート４０がスマートフォン１０に貼り付けられ、また表示画面１６に背景データＭ１６が表示された例である。
【図６】使用者がスマートフォン１０によって装飾シートを依頼してから、使用者の手元に届くまでのフローチャート１である。
【図７】（ａ）は、表示画面１６に表示された配置設定用画面であり、（ｂ）は、選択された画像表示装置（スマートフォン１０）の寸法図が表示された画面である。
【図８】（ａ）は、配置設定用画面に表示された画像データＧ１０であり、（ｂ）は、画像データＧ１０の配置が確定して表示されたプレビュー画面である。
【図９】（ａ）は、表示画面１６にアイコンＩＣが表示されたスマートフォン１０の第１面である。（ｂ）は、第１面枠体１５Ａに装飾シール４０が貼られ、表示画面１６に背景データＭ１６が表示され、さらにアイコンＩＣにアイコン画像データＭＩＣが表示されている例である。
【図１０】（ａ）は、スマートフォン１０の第１面枠体１５Ａに貼り付けられる装飾シール４０である。（ｂ）は、スマートフォン１０の表示画面１６に表示される背景データＭ１６である。（ｃ）は、表示画面１６に表示されるアイコンＩＣ（１，１）〜アイコン（５，２）のアイコン画像データＭＩＣである。
【図１１】使用者がスマートフォン１０によって装飾シートを依頼してから、使用者の手元に届くまでのフローチャート２である。
【発明を実施するための形態】
【００１４】
＜装飾データ作製システムの概略構成＞
＜＜第１実施形態＞＞
図１は第１実施形態に係るシステム全体の概略構成を示す。この装飾データ作製システム１００は、サーバ２０とこのサーバ２０に接続されるシール印刷機３０と、シールをカットするカッティングマシン５０とから構成される。また、このサーバ２０には、スマートフォン（多機能携帯電話）１０が、通信ネットワーク９０を介して相互に接続される。通信ネットワーク９０は、電話網、インターネット等を含む。スマートフォン１０は、枠部１５と表示画面１６とを有している。なお、本実施形態は、画像表示装置の一例としてスマートフォン１０を挙げて背爪する。しかしこれに限られるのではなく、通信機能のあるタブレット画像表示装置、ゲーム機、ＰＤＡ、カーナビゲーション、ノートパソコン及び通信機能のあるＦＰＤ（いわゆるインターネットＴＶ）などを含む。
【００１５】
使用者は、スマートフォン１０を使って写真やイラスト等の画像を作製することができる。使用者は、通信ネットワーク９０を介して、スマートフォン１０等で作成した画像データをサーバ２０に送信することができる。サーバ２０は、使用者が使用しているスマートフォン１０の機種等に応じて、シール印刷の印刷用データと背景データとに分離する。シール印刷の印刷用データは、スマートフォン１０の枠部１５に貼り付ける装飾シールに用いられる。背景データは、スマートフォン１０の表示画面１６に用いられる。
【００１６】
シール印刷の印刷用データは、印刷装置３０で装飾シール４０の表面紙に印刷される。なお、装飾シール４０は、剥離紙と剥離紙の上に粘着層を有する表面紙とからなる。粘着層は、表面紙を傷めずに、スマートフォン１０の枠部１５に貼ったり剥がしたりできる接着力を有する。次に、印刷された装飾シール４０は、カッティングマシン５０で、枠部１５の大きさに合わせて表面紙のみがカットされる。
【００１７】
印刷され且つカットされた装飾シール４０は、宅配業者ＴＲ又は郵便等によって、使用者の自宅ＨＭに送付される。使用者は、装飾シール４０に印刷されている例えばＱＲコード（登録商標）にアクセスし、通信ネットワーク９０を介して装飾データ作製システム１００から背景データをダウンロードする。
【００１８】
＜スマートフォンの概略構成＞
図２に、本実施形態に係るスマートフォン１０の外部構成及び内部構成を示す。図２（ａ）は、液晶又は有機ＥＬ等の大きな表示画面１６を有するスマートフォン１０の第１面である。図２（ｂ）は、スマートフォン１０の右側面である。図２（ｃ）は、スマートフォン１０の第１面とは反対側の第２面である。図２（ｄ）は、スマートフォン１０の底面である。図２（ｅ）は、スマートフォン１０の内部の概略構成である。
【００１９】
図２（ａ）に示されるように、スマートフォン１０は、第１面に枠体１５Ａとその枠体１５Ａ内側に配置された表示画面１６を有している。第１面枠体１５Ａの一部に、前撮影部（前カメラ）、操作ボタン及びスピーカが配置されている。また第１面の枠体１５Ａには、図示しないマイク等を有する。また表示画面１６はタッチパネル機能を有している。本明細書では、表示画面１６のタッチパネル機能及び操作ボタンを合わせて入力部１４という。表示画面１６は、電話番号、アイコン、アプリケーションソフトを表示したり、写真又は動画を表示したりする。また、表示画面１６は、例えば６００×１２００ｐｉｘｅｌ等のサイズで表示可能である。
【００２０】
図２（ｂ）に示されるように、スマートフォン１０の右側面枠体１５Ｂは、ＳＩＭカードを挿入するＳＩＭカードトレイ等を有している。スマートフォン１０の左側面枠体については説明を割愛する。
【００２１】
図２（ｃ）に示されるように、スマートフォン１０の第２面は、第２面枠体１５Ｃを有しており、第２面枠体１５Ｃの一部に撮影部（後カメラ）１７を有している。撮影部１７は静止画を撮影し、また動画も撮影可能である。例えば、撮影部１７は２５９２×１９４４ｐｉｘｅｌ、２０４８×１５３６ｐｉｘｅｌ、１９２０×１０８０ｐｉｘｅｌ、又は１６００×１２００ｐｉｘｅｌ等のサイズで撮影可能である。
【００２２】
図２（ｄ）に示されるように、スマートフォン１０の底面枠体１５Ｄは、他の外部機器と接続する外部接続端子等を有している。スマートフォン１０の天面枠体については説明を割愛する。
【００２３】
また、図２（ｅ）に示されるように、スマートフォン１０は、ＣＰＵからなる制御部１２と、撮影部１７が撮影した静止画又は動画を編集する画像編集部１８とを有している。さらに画像編集部１８は、アプリケーションプログラムに基づいてイラスト等の画像を作成する機能を有する。さらに、スマートフォン１０は、電話番号帳、ソフトウエア、静止画又は動画を記憶するメモリ１９を有している。制御部１２は、メモリ１９に格納されている制御プログラムやアプリケーションプログラムおよび必要なパラメータを利用して、スマートフォンの機能を実現する。
【００２４】
なお、スマートフォン１０の制御部１２は、アンテナ１１に接続され、通信ネットワーク９０を介して外部のスマートフォンとの間で音声やデータの送受信を行う。また、制御部１２は、通信ネットワーク９０を介して撮影した静止画又は編集したイラスト等の画像をサーバ２０に送信することができる。制御部１２は、さらに通信ネットワーク９０を介してサーバ２０から背景データを受信することもできる。
【００２５】
＜サーバの概略構成＞
図３に、サーバ２０の概略の構成例を示す。サーバ２０は主要機能部として、送受信部２１、Ｗｅｂ処理部２３、データ処理部２６、背景データ管理部２７、およびデータ転送処理部２９を有する。サーバ２０は、送受信部２１を介して通信ネットワーク９０に接続されており、また、印刷装置３０及びカッティングマシン５０に接続されている。
【００２６】
Ｗｅｂ処理部２３は、スマートフォン１０からＷｅｂにアクセスするアクセス画面構成のためのイメージやテキストのデータを格納したＷｅｂデータ記憶部２４と接続される。また、Ｗｅｂ処理部２３は、送受信部２１を介して通信ネットワーク９０に接続され、スマートフォン１０からのアクセスに応じてＷｅｂデータの画面を変更する機能を有する。
【００２７】
アクセス画面構成は、複数の画面を有している。一つのアクセス画面構成は、スマートフォン１０の使用者のメールアドレス、配達先住所及び氏名、並びに料金の支払い方法等を記入する画面を有している。また、別のアクセス画面構成は、スマートフォン１０から送られてくる画像データＧ１０（図４を参照。）をサーバ２０にアップロードするためのＩＰアドレスを表示したアップロード画面、又はサーバ２０に送信するためメールアドレスを表示した画面を有している。また、別のアクセス画面構成は、スマートフォン１０の機種を特定する画面を有し、スマートフォン１０のどの位置に画像データＧ１０は配置するかを決めるための配置設定用画面を有している。さらに別のアクセス画面構成は、スマートフォン１０の使用者が、表示画面１６用に背景データＭ１６（図５（ａ）を参照。）をサーバ２０からダウンロードする画面を有している。なお、図７及び図８を使って、配置設定用のアクセス画面の一例を後述する。
【００２８】
画像表示装置寸法の記憶部２８は、スマートフォン１０の機種ごとの寸法データを記憶している。例えば、寸法データは、図２に示したようにスマートフォン１０の第１面枠体１５Ａの寸法、表示画面１６の寸法、右側面の枠体１５Ｂの寸法、第２面（裏面）の第２面枠体１５Ｃの寸法、底面の枠体１５Ｄの寸法である。さらに、枠体１５Ａ〜枠体１５Ｄは、入力部１４である操作ボタン、撮影部１７、スピーカ及びマイク等を有しているので、寸法データはそれらの位置及び寸法を含む。新機種のスマートフォン１０が増えるごとに、画像表示装置寸法の記憶部２８は、それらの寸法データが新たに記憶する。
【００２９】
データ処理部２６は、スマートフォン１０から送られてくる画像データＧ１０（図４を参照。）をスマートフォン１０の枠体１５Ａ〜１５Ｄ用の印刷用データＭ１５（図５（ｂ）を参照。）と、スマートフォン１０の表示画面１６に壁紙として使用される背景データＭ１６（図５（ａ）を参照。）と、に分離する。画像データＧ１０は、データ処理部２６と接続される画像データ記憶部２５に記憶される。印刷用データＭ１５と背景データＭ１６とは、画像表示装置寸法の記憶部２８に記憶された寸法データに基づいて、分離される。印刷用データＭ１５は、送受信部２１を介して印刷装置３０に送信される。印刷装置３０は、装飾シール４０の表面紙に印刷される。また、画像表示装置寸法の記憶部２８に記憶された寸法データは、送受信部２１を介してカッティングマシン５０に送信される。カッティングマシン５０は、寸法データに基づいて、印刷された装飾シール４０をカッティングする。
【００３０】
背景データ管理部２７は、スマートフォン１０の使用者からの依頼毎に、背景データにタグ情報（管理情報）ＴＡＧを付している。タグ情報ＴＡＧには、対象となるデータのＵＲＬの他、ページ内での位置情報などの属性情報を含む。画像データ記憶部２５に記憶されている背景データＭ１６は、タグ情報ＴＡＧを含んでいる。
【００３１】
使用者がタグ情報ＴＡＧを使ってサーバ２０にアクセスしてきた際に、背景データ転送部２９は、スマートフォン１０が背景データＭ１６をダウンロードできるように、そのタグ情報ＴＡＧを有する背景データＭ１６を転送する。
【００３２】
なお、本実施形態では、サーバ２０内のＷｅｂデータ記憶部２４が配置設定用画面を有していたり、データ処理部２６が印刷用データＭ１５と背景データＭ１６と、に分離したりした。しかし、スマートフォン１０がアプリケーションソフトをダウンロードすることにより、スマートフォン１０がＷｅｂデータ記憶部２４の機能の一部を担ったり、データ処理部２６の機能の一部を担ったりしてもよい。
【００３３】
＜画像データ、背景データ及び印刷用データ＞
図４は、画像データＧ１０を示した図である。図４は、スマートフォン１０から送られてくる画像データＧ１０とスマートフォン１０の寸法データとを重ねた図である。図５（ａ）は、表示画面１６に表示される背景データＭ１６であり、図５（ｂ）は、装飾シール４０に印刷された印刷用データＭ１５である。図５（ｃ）は、装飾シート４０がスマートフォン１０に貼り付けられ、また表示画面１６に背景データＭ１６が表示された例である。
【００３４】
寸法データは、図４において一点鎖線で示されている。この図４では、第２面枠体１５Ｃ用の寸法データは表示されていない。第２面枠体１５Ｃ用に、スマートフォン１０から２つの画像データＧ１０を受け取り、他方の画像データから印刷用データＭ１５を作製してもよい。
【００３５】
例えば、スマートフォン１０の撮影部１７は、１９２０×１０８０ｐｉｘｅｌの横長の画像データＧ１０を撮影し、スマートフォン１０は画像データＧ１０をサーバ２０に送信する。この画像データＧ１０は、模様ｇ１１〜ｇ１９が含まれている。スマートフォン１０の外形寸法が図２に示されたように縦長であると、画像データＧ１０の寸法と横長の画像データＧ１０とは大きさが一致しない。このため、Ｗｅｂにアクセスするアクセス画面構成は、画像データＧ１０のどの位置に一点鎖線で示された寸法データを配置するか決めるための配置設定用画面を有している。使用者はスマートフォン１０の操作ボタン等で、画像データＧ１０と寸法データとを相対的に上下左右に移動させることができる。また必要であれば、使用者はスマートフォン１０の操作ボタン等で、画像データＧ１０を縮小／拡大することもできる。
【００３６】
仮に、図４に示される画像データＧ１０の位置で、寸法データが確定したとする。データ処理部２６は、この確定した配置位置で、印刷用データＭ１５と背景データＭ１６とを分離する。画像データＧ１０に含まれていた模様ｇ１５、ｇ１８は、図５（ａ）に示された背景データＭ１６、及び図５（ｂ）に示された印刷用データＭ１５に含まれない。
【００３７】
図５（ａ）は、データ処理部２６で分離された背景データＭ１６である。背景データＭ１６は、模様ｇ１１、ｇ１２、ｇ１３の一部を含んでいる。そして、背景データ管理部２７は、背景データＭ１６にタグ情報ＴＡＧを付す。タグ情報ＴＡＧは、例えば、ＵＲＬである。背景データＭ１６は、スマートフォン１０でダウンロードされると、表示画面１６の背景として表示される。
【００３８】
図５（ｂ）は、スマートフォン１０の第１面枠体１５Ａ、右側面枠体１５Ｂ、底面枠体１５Ｄ、左側面枠体及び天面枠体の寸法データ内で且つ寸法データＦ１６内を除いた印刷用データＭ１５である。印刷用データＭ１５は、背景データＭ１６に含まれない模様ｇ１１、ｇ１２、ｇ１３、ｇ１４、ｇ１６、ｇ１７及びｇ１９を含んでいる。そして、印刷用データＭ１５は、表示画面１６に対応する位置にタグ情報ＴＡＧを含む。すなわち、装飾シートにはタグ情報ＴＡＧも印刷される。スマートフォン１０からサーバ２０に容易にアクセスできるように、タグ情報ＴＡＧをＱＲコード（登録商標）化することが好ましい。もちろん、印刷用データＭ１５の外側にタグ情報ＴＡＧが印刷されてもよい。なお、図５（ｂ）で示された一点鎖線は、カッティングマシン５０でカッティングされる線でもある。
【００３９】
印刷部３０は、この印刷用データＭ１５に基づいて枠体１５用の印刷用データＭ１５及びタグ情報ＴＡＧを装飾シール４０の表面紙に印刷する。また、カッティングマシン５０で、表示画面１６の寸法、入力部１４である操作ボタンなどがカッティングされる。
【００４０】
図５（ｃ）は、装飾シート４０に印刷された表面紙が、スマートフォン１０の第１面枠体１５Ａ等に貼り付けられ、また表示画面１６に背景データＭ１６が表示された状態を示している。第１面枠体１５Ａと表示画面１６とが接する接線において装飾シート４０の模様ｇ１１〜ｇ１３が表示画面１６の背景と一連につながっている。使用者は、スマートフォン１０の第１面枠体１５Ａだけでなく、表示画面１６まで一体とした模様を付けることができる。したがって使用者は、他人と差別化した模様を有するスマートフォン１０を持ち運ぶことができる。
【００４１】
第１実施形態では、第１面枠体１５Ａに加えて、右側面枠体１５Ｂ、底面枠体１５Ｄ、左側面枠体及び天面枠体を含んでいる。しかし、これに限られることなく、第１面枠体１５Ａのみが印刷されてもよい。また、第２面枠体１５Ｃ用の装飾シート４０がさらに貼られるようにしてもよい。
【００４２】
＜装飾データ作製のフローチャート１＞
次に、使用者がスマートフォン１０によって印刷用データＭ１５及び背景データＭ１６の作製を依頼してから、印刷用データＭ１５及び背景データＭ１６がスマートフォン１０の使用者の手元に届くまでの手順を説明する。図６はその手順のフローチャートである。
【００４３】
ステップＳ１１では、スマートフォン１０の使用者は、印刷用データＭ１５及び背景データＭ１６を作成するＷｅｂサイトにアクセスする。
ステップＳ１３では、使用者は、印刷用データＭ１５及び背景データＭ１６の作製のＷｅｂサイトに会員登録する。するとＷｅｂ処理部２３は、Ｗｅｂデータ記憶部２４に記憶されている使用者のメールアドレス、配達先住所及び氏名、並びに料金の支払い方法、アクセスパスワード等を記入する画面を表示する。このため、使用者は、画面に表示されたこれらの基本事項を記入する。なお、これらの使用者の住所などの基本事項は、一度記入すれば足り、二度目のアクセス時にはアクセスパスワードをインプットして、ステップＳ１３をスキップさせてもよい。又は、ステップＳ１３の内容は注文後に登録できるようにしてもよい。
【００４４】
会員登録後した後、Ｗｅｂ処理部２３は、Ｗｅｂデータ記憶部２４から、スマートフォン１０のどの位置に画像データＧ１０は配置するかを決めるための配置設定用画面を読み出し、表示する。たとえば、図７（ａ）は、スマートフォン１０の表示画面１６に映し出された配置設定用画面である。
【００４５】
図７（ａ）において、配置設定用画面は、画像表示装置の選択ボタン２４Ａ、写真・画像アップロードボタン２４Ｂ、配置・画像編集ボタン２４Ｃ、確定ボタン２４Ｄを有している。画像表示装置選択ボタン２４Ａは、画像表示装置の機種を特定するためのボタンである。たとえば装置Ａのボタンをクリックすると、ある機種のスマートフォン１０の寸法図が表示される。
【００４６】
写真・画像アップロードボタン２４Ｂは、たとえばスマートフォン１０から写真又は画像をアップロードする画面である。
配置・画像編集ボタン２４Ｃは、たとえば移動ボタン、拡大・縮小ボタン、回転ボタン、文字入力ボタン、スタンプボタン、えんぴつボタン、フレームボタン及びプレビューボタンを有している。これらのボタンをクリックすると、それらの機能を発揮する。移動ボタンは、画像データＧ１０又はスマートフォン１０の寸法図のいずれか一方を移動させる機能を有する。拡大・縮小ボタンは、画像データＧ１０又はスマートフォン１０の寸法図のいずれか一方を拡大・縮小させる機能を有する。回転ボタンは、画像データＧ１０を回転させる機能を有する。文字入力ボタンは、日本語又は英語などの文字を入力させる機能を有する。スタンプボタンは、ハートもしくはスペード等のような典型的な図形を入力させる機能を有する。えんぴつボタンは、直線や曲線などの線を描画する機能を有する。フレームボタンは、風景や模様などの背景を入力させる機能を有する。プレビューボタンは、以上説明した配置・画像編集ボタン２４Ｃで描かれた画像データＧ１０を、スマートフォン１０の寸法図に合わせて表示する機能を有する。
【００４７】
図６に戻り、ステップＳ１５では、使用者は、スマートフォン１０の機種を選択する。市販されているスマートフォン１０の機種の寸法データが画像表示装置寸法の記憶部２８に規定されており、使用者は、配置設定用画面に表示された装置Ａ〜装置Ｈの機種から該当する機種を選択する。使用者が、たとえば装置Ａのボタンをクリックすると、図７（ｂ）に示されるように、ある機種のスマートフォン１０の寸法図がスマートフォン１０の表示画面１６に映し出される。なお、図７及び図８では、スマートフォン１０の第１面枠体１５Ａ、右側面枠体１５Ｂ、底面枠体１５Ｄ、左側面枠体及び天面枠体すべてを作成する例である。図７又は図８では描かれていないが、使用者が、右側面枠体１５Ｂ及び左側面枠体用の装飾シート４０が不要と判断すれば、右側面枠体１５Ｂ及び左側面枠体用のスマートフォン１０の寸法図を削除できるボタンを有していてもよい。
【００４８】
ステップＳ１７では、使用者は、スマートフォン１０に記憶されている画像データＧ１０又は撮影部１７で撮影した画像データＧ１０を、通信ネットワーク９０を介してサーバ２０に送信する。使用者は、配置設定用画面内の写真・画像アップロードボタン２４Ｂをクリックする。すると、画像データＧ１０がアップロードされ、アップロードされた画像データＧ１０は、画像データ記憶部２５に記憶される。送信される画像データＧ１０は、表示画面１６のピクセル数よりも大きいことが望ましい。表示画面１６のピクセル数よりも画像データＧ１０が小さいと、表示画面１６用の背景データＭ１６が不足することになるからである。本フローチャートでは、画像データＧ１０は例えば静止画（写真）であるが、スマートフォン１０に内蔵されたアプリで編集したイラストであってもよい。なお、ステップＳ１５とステップＳ１７とは、順番が入れ替わっても問題は無い。
【００４９】
ステップＳ１９では、Ｗｅｂ処理部２３は、ステップＳ１５でアップロードされた画像データＧ１０を表示するとともに、画像表示装置寸法の記憶部２８から使用者が選択した機種の寸法を表示する。例えば図８（ａ）で示されたように、Ｗｅｂ処理部２３は、画像データＧ１０に寸法を表す一点鎖線を重ねて表示する。
【００５０】
ステップＳ２１では、使用者は、スマートフォン１０の入力部１４（図２を参照。）を使って、図８（ａ）中の拡大・縮小ボタンをクリックして画像データＧ１０を拡大／縮小したり、移動ボタンをクリックして画像データＧ１０をスマートフォン１０の寸法図に対して相対的に移動したりする。使用者は、配置が確定したと判断したら、配置・画像編集ボタン２４Ｃ内のプレビューボタンをクリックする。すると図８（ｂ）に示されるように、スマートフォン１０の枠体１５描かれる画像データ及び表示画面１６に表示かれる画像データＧを合わせて表示する。プレビューされた画像データＧ１０及びスマートフォン１０の寸法図で問題なければ、使用者は、確定ボタン２４Ｄをクリックする。その後、料金の決済画面などが表示される。
【００５１】
ステップＳ２３では、確定ボタン２４Ｄがクリックされたため、データ処理部２６が、画像データＧ１０を表示画面用の背景データＭ１６と印刷用データＭ１５とに分離する。
ステップＳ２５では、背景データ管理部２７がスマートフォン１０の表示画面１６用の背景データＭ１６に、タグ情報ＴＡＧを付加する。そしてタグ情報ＴＡＧを付けた状態で、背景データＭ１６が画像データ記憶部２５に記憶される。
【００５２】
ステップＳ２７では、印刷部３０が、枠体１５用の印刷用データＭ１５及びタグ情報ＴＡＧを装飾シール４０の表面紙に印刷する。この際に、スマートフォン１０からサーバ２０に容易にアクセスできるように、タグ情報ＴＡＧをＱＲコード（登録商標）化して印刷することが好ましい。次に、印刷された装飾シール４０は、カッティングマシン５０で、枠体１５の大きさに合わせて表面紙のみがカットされる。
ステップＳ２９では、装飾シール４０が、ステップＳ１３で入力された配達先住所及び氏名で、使用者の手元に配達される。
【００５３】
ステップＳ３１では、使用者が、スマートフォン１０を使って配達された装飾シール４０に印刷してあるタグ情報にアクセスする。背景データ転送部２９は、そのアクセスに基づいてスマートフォン１０に、そのタグ情報ＴＡＧを有する背景データＭ１６を転送する。また、使用者はスマートフォン１０の枠体１５に装飾シール４０を貼る。すると、図５（ｃ）に示されたように、スマートフォン１０の第１面枠体１５Ａと表示画面１６とが接する接線において装飾シート４０の模様が表示画面１６の背景と一連につながったスマートフォン１０を得ることができる。
【００５４】
＜＜第２実施形態＞＞
第１実施形態では、スマートフォン１０の第１面枠体１５Ａと表示画面１６とが接する接線において装飾シート４０の模様が表示画面１６の背景と一連につながった例を説明した。第１実施形態では説明しなかったが、表示画面１６に多くのアイコンが表示されている。これらのアイコンは、例えばカレンダー、写真等のソフト機能を立ち上げる目印である。
【００５５】
第２実施形態は、第１実施形態と基本的に、装飾データ作製システム１００及びスマートフォン１０の構成が同じである。このため、スマートフォン１０、サーバ２０等の説明を割愛する。
【００５６】
第２実施形態では、これらのアイコン自体の模様を変えることで、さらに、表示画面１６の背景とアイコンＩＣとを一連に表示させる例を説明する。図９（ａ）は、スマートフォン１０の第１面であり、表示画面１６にアイコンＩＣが表示されている例である。図９（ｂ）は、スマートフォン１０の第１面枠体１５Ａに装飾シール４０が貼られ、表示画面１６に背景データＭ１６が表示され、さらにアイコンＩＣにアイコン画像データＭＩＣが表示されている例である。
【００５７】
図９（ａ）に示されるように、表示画面１６にはアイコンが２０個（４×５個）表示される。第２実施形態では、アイコンの左上をアイコンＩＣ（１，１）と呼称し、アイコンの右上をアイコンＩＣ（１，４）と呼称し、アイコンの左下をアイコンＩＣ（５，１）と呼称し、アイコンの右下をアイコンＩＣ（５，４）と呼称する。
【００５８】
図９（ａ）では、使用者は、アイコンＩＣ（５，３）及びアイコンＩＣ（５，４）を使用しない、つまり無い場合を想定し、図９（ａ）ではアイコンＩＣ（５，３）及びアイコンＩＣ（５，４）を点線で示している。もちろん使用者は、すべてのアイコンＩＣ（１，１）〜アイコンＩＣ（５，４）までを使用してもよい。
【００５９】
図９（ｂ）に示されるように、模様ｇ２１、ｇ２２及びｇ２３は、スマートフォン１０の第１面枠体１５Ａ、表示画面１６及び複数のアイコンＩＣに表示される模様である。図４及び図６のステップＳ２１で説明したように、模様ｇ２１、ｇ２２及びｇ２３は、使用者が画像データＧ１０に基づいて配置を確定した模様である。
【００６０】
図１０（ａ）は、スマートフォン１０の第１面枠体１５Ａに貼り付けられる装飾シール４０である。この装飾シール４０は、データ処理部２６が、画像データＧ１０から分離した印刷用データＭ１５に基づいて、印刷部３０が印刷したものである。
【００６１】
図１０（ｂ）は、スマートフォン１０の表示画面１６に表示される背景データＭ１６である。この背景データＭ１６は、データ処理部２６が、画像データＧ１０から分離したものである。第１実施形態と異なり、アイコンＩＣ（１，１）〜アイコン（５，２）までの部分は画像データがない。但し、一般に、アイコンＩＣは、背景データのレイヤよりも画面上に表示されるため、アイコンＩＣ（１，１）〜アイコン（５，２）までの部分に画像データがあってもよい。つまり、第１実施形態の図５（ａ）と同様に、表示画面１６全体の背景データＭ１６であってもよい。
【００６２】
図１０（ｃ）は、表示画面１６に表示されるアイコンＩＣ（１，１）〜アイコン（５，２）のアイコン画像データＭＩＣである。データ処理部２６が、画像データＧ１０から作成する。画像データＧ１０から分離したものである。データ処理部２６が、画像データＧ１０から分離したものであり、アイコンＩＣ（１，１）〜アイコン（５，２）の一つ一つにアイコン画像データＭＩＣを作成する。これらアイコン画像データＭＩＣは、背景データＭ１６と同じタグ情報ＴＡＧが付けられていてもよい。同じタグ情報ＴＡＧであれば、使用者が、背景データＭ１６をダウンロードする際に、同時にアイコン画像データＭＩＣもダウンロードすることができる。
【００６３】
＜装飾データ作製のフローチャート２＞
次に、使用者がスマートフォン１０によって印刷用データＭ１５及び背景データＭ１６の作製を依頼してから、印刷用データＭ１５及び背景データＭ１６がスマートフォン１０の使用者の手元に届くまでの手順を説明する。図１１はその手順のフローチャートである。第２実施形態のフローチャートは、図６のステップＳ２１まで第１実施形態のフローチャートと同じである。
【００６４】
ステップＳ４１では、使用者は、アクセス画面に表示された画面で使用するアイコンＩＣの数を指定する。
【００６５】
ステップＳ４３では、データ処理部２６が、画像データＧ１０を印刷用データＭ１５と背景データＭ１６とアイコン画像データＭＩＣとに分離する。
ステップＳ４５では、背景データ管理部２７がスマートフォン１０の表示画面１６用の背景データＭ１６及びアイコン用のアイコン画像データＭＩＣに、タグ情報ＴＡＧを付加する。そしてタグ情報ＴＡＧを付けた状態で、背景データＭ１６及びアイコン画像データＭＩＣが画像データ記憶部２５に記憶される。
【００６６】
ステップＳ４７では、印刷部３０が、枠体１５用の印刷用データＭ１５及びタグ情報ＴＡＧを装飾シール４０の表面紙に印刷する。次に、印刷された装飾シール４０は、カッティングマシン５０で、枠部１５の大きさに合わせて表面紙のみがカットされる。
ステップＳ４９では、装飾シール４０が、ステップＳ１３で入力された配達先住所及び氏名で、使用者の手元に配達される。
【００６７】
ステップＳ５１では、使用者が、スマートフォン１０を使って配達された装飾シール４０に印刷してあるタグ情報にアクセスする。背景データ転送部２９は、そのアクセスに基づいてスマートフォン１０に、そのタグ情報ＴＡＧを有する背景データＭ１６を転送する。
ステップＳ５３では、背景データ転送部２９が、そのアクセスに基づいてスマートフォン１０に、そのタグ情報ＴＡＧを有するアイコン画像データＭＩＣを転送する。
【００６８】
使用者は、スマートフォン１０の枠体１５に装飾シール４０を貼る。すると、図９（ｂ）に示されたように、スマートフォン１０の第１面枠体１５Ａと表示画面１６とアイコンＩＣとが接する接線において装飾シート４０の模様が一連につながったスマートフォン１０を得ることができる。
【符号の説明】
【００６９】
１０  …  スマートフォン
１１  …  アンテナ、      １２  …  制御部
１４  …  入力部、        １７  …  撮影部
１５  …  枠部（第１面枠体１５Ａ、右側面枠体１５Ｂ，第２面枠体１５Ｃ，底面枠体１５Ｄ）
１８  …  画像編集部、    １９  …  メモリ
２０  …  サーバ、        ２１  …  送受信部
２３  …  Ｗｅｂ処理部、  ２６  …  データ処理部
２７  …  背景データ管理部、２９  …  データ転送処理部
３０  …  印刷装置、      ４０  …  装飾シール
５０  …  カッティングマシン
９０  …  通信ネットワーク
１００  …  装飾データ作製システム
Ｇ１０  …  画像データ
Ｍ１５  …  印刷用データ
Ｍ１６  …  背景データ
ＩＣ  …  アイコン
ｇ１１〜ｇ１９、ｇ２１〜ｇ２３  …  模様
【図１】
0005578737.tif 000002
【図２】
0005578737.tif 000003
【図３】
0005578737.tif 000004
【図４】
0005578737.tif 000005
【図５】
0005578737.tif 000006
【図６】
0005578737.tif 000007
【図７】
0005578737.tif 000008
【図８】
0005578737.tif 000009
【図９】
0005578737.tif 000010
【図１０】
0005578737.tif 000011
【図１１】
0005578737.tif 000012